(57)【要約】【課題】ストレッチやピラティス、ヨガ等をする際に、自らの身体の位置や体勢をコントロールしたりポーズをとったりすることを効果的にサポート可能なエクササイズ用マットを提供する。【解決手段】表面層と、前記表面層に積層された裏面層と、を具備する略矩形状のマットであって、前記表面層のうちの前記裏面層とは反対側の面に、ポーズの図柄と目盛りとを含む印刷層を有し、前記目盛りが、前記表面層において、対向する二辺の端部に設けられていること、を特徴とするエクササイズ用マット。【選択図】図１
2019097884.tif 000002
【特許請求の範囲】
【請求項１】
表面層と、
前記表面層に積層された裏面層と、を具備する略矩形状のマットであって、
前記表面層のうちの前記裏面層とは反対側の面に、ポーズの図柄と目盛りとを含む印刷層を有し、
前記目盛りが、前記表面層において、対向する二辺の端部に設けられていること、
を特徴とするエクササイズ用マット。
【請求項２】
前記裏面層が、前記表面層とは反対の面に、並列する略波状の凸部を有すること、
を特徴とする請求項１に記載のエクササイズ用マット。
【請求項３】
前記表面層及び前記裏面層がポリ塩化ビニルで形成されていること、
を特徴とする請求項１又は２に記載のエクササイズ用マット。
【発明の詳細な説明】
【技術分野】
【０００１】
本発明は、各種エクササイズに用いられるマット
【背景技術】
【０００２】
従来から、体操やストレッチ、ピラティスやヨガ等のために種々のマットが使用されている。かかるマットとしては、小学校の体育の授業等で使用される厚みを有するマットや、ジムや自宅でストレッチやピラティス、ヨガ等をする際に個別に使用されるマット等がある。
【０００３】
例えば特許文献１（特開２００７−３０７０４６号公報）では、「アパート、マンション住まいの熟年層（概ね５０歳以上の人）が、階下の人に騒音の問題を起こすことなく、室内で手軽に体操する際に用いるマットと、その際の室内用体操の方法を提供すること」を目的として、「熟年層の体力低下を防止する為に、音楽に合わせて、下肢および上腕を上下させる体操を行うにおいて、階下の部屋に体操の振動音が伝わらないようにするために、弾性体から成ることを特徴とする、室内体操用マット。」が提案されている。
【０００４】
また、特許文献２（特開２０１２−２３６４０６号公報）においては、「エクササイズマットはユーザーによって平坦な表面に設置され、クッション性、グリップ、サポート、もしくは安定性、またはこれらの任意の組み合わせを与え、ユーザーがより容易かつ効果的にヨガまたは他のエクササイズを行うことを可能にするマットの提供」を目的として、「少なくとも１つのトップ層であって、ポリウレタンを含む少なくとも１つのトップ層と、 前記少なくとも１つのトップ層に隣接する少なくとも１つのボトム層であって、少なくとも１つの熱可塑性エラストマーを含む少なくとも１つのボトム層とを含むエクササイズマット。」が提案されている。
【先行技術文献】
【特許文献】
【０００５】
【特許文献１】特開２００７−３０７０４６号公報
【特許文献２】特開２０１２−２３６４０６号公報
【発明の概要】
【発明が解決しようとする課題】
【０００６】
しかしながら、上記のような従来のマットを用いてストレッチやピラティス、ヨガ等をする際、使用者は、例えば近くにいる指導者の動きを真似したり鏡に写る自分の姿を見たりするものの、必ずしも自らの身体の位置やポーズをコントロールできないという問題がある。
【０００７】
そこで、本発明の目的は、ストレッチやピラティス、ヨガ等をする際に、自らの身体の位置や体勢をコントロールしたりポーズをとったりすることを効果的にサポート可能なエクササイズ用マットを提供することにある。
【課題を解決するための手段】
【０００８】
上記の課題を解決すべく、本発明は、
表面層と、
前記表面層に積層された裏面層と、を具備する略矩形状のマットであって、
前記表面層のうちの前記裏面層とは反対側の面に、ポーズの図柄と目盛りとを含む印刷層を有し、
前記目盛りが、前記表面層において、対向する二辺の端部に設けられていること、
を特徴とするエクササイズ用マットを提供する。
【０００９】
このような構成を有する本発明のエクササイズ用マットによれば、ポーズの図柄及び目盛りが設けられているため、ストレッチやピラティス、ヨガ等をする際に、使用者が容易に自らの身体の位置や体勢をコントロールしたりポーズをとったりすることができる。
【００１０】
上記の本発明のエクササイズ用マットにおいては、前記裏面層が、前記表面層とは反対の面に、並列する略波状の凸部を有すること、が好ましい。
【００１１】
このような構成を有する本発明のエクササイズ用マットによれば、接地面（床等）との接触面が並列する略波状の凸部を有するため、使用者が上にのって種々の位置や体勢、ポーズを取る際に、滑りにくく、より確実に自らの身体の位置や体勢をコントロールしたりポーズをとったりすることができる。
【００１２】
上記の本発明のエクササイズ用マットにおいては、前記表面層及び前記裏面層がポリ塩化ビニルで形成されていること、が好ましい。
【００１３】
このような構成を有する本発明のエクササイズ用マットによれば、ポリ塩化ビニルという材料が接地面（床等）との間で滑りにくく、使用者はより容易かつ確実に自らの身体の位置や体勢をコントロールしたりポーズをとったりすることができる。
【発明の効果】
【００１４】
本発明によれば、ストレッチやピラティス、ヨガ等をする際に、自らの身体の位置や体勢をコントロールしたりポーズをとったりすることを効果的にサポート可能なエクササイズ用マットを実現できる。
【図面の簡単な説明】
【００１５】
【図１】本発明の一実施形態に係るエクササイズ用マットの正面図である。
【図２】図１に示すエクササイズ用マット１の背面図である。
【図３】図１に示すエクササイズ用マット１の側面図である。
【図４】図１に示すエクササイズ用マット１の上面図である。
【図５】図１に示すエクササイズ用マット１の裏面層１ｂの表面形状の一実施形態を示す図である。
【発明を実施するための形態】
【００１６】
以下、本発明に係るエクササイズ用マットの代表的な実施形態を、図面を参照しながら詳細に説明する。但し、本発明は図示されるものに限られず、また、各図面は本発明を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１７】
図１は、本発明の一実施形態に係るエクササイズ用マット１の正面図であり、図２は、図１に示すエクササイズ用マット１の背面図である。また、図３は、図１に示すエクササイズ用マット１の側面図であり、図４は、図１に示すエクササイズ用マット１の上面図である。
【００１８】
図面に示すように、本実施形態のエクササイズ用マット１は、表面層１ａと、表面層１ａに積層された裏面層１ｂと、を具備する略矩形状のマットであって、四隅は丸みを帯びるようにＲ形状に形成されている。
【００１９】
本実施形態のエクササイズ用マット１は、縦の幅（図１に示すＸ方向の長さ）が約７０ｃｍで、横の長さ（図１に示すＹ方向の長さ）が約１８０ｃｍであるが、使用者の体格や用途に合わせて適宜選択できるように、縦の幅は１６０〜２００ｃｍの範囲であるのが好ましく、横の長さは６０〜１００ｃｍの範囲であるのが好ましい。
【００２０】
表面層１ａのうちの裏面層１ｂとは反対側の面には、図１に示すように、ヨガのポーズ１３種類とそれらのポーズ名との組合せ（図柄）２及び目盛り４を含む印刷層が設けられている。この印刷層は、図柄２と目盛り４を含むものであるため、連続していても不連続（例えば島状）であってもよく、したがって、文字、図形、記号若しくは模様又はこれらの結合を含んでいてもよい。
【００２１】
目盛り４は、図１に示すように、表面層１ａにおいて、対向する上側及び下側の二辺の端部領域において、矢印Ｙの方向に延びるように設けられている。図柄２の内容に応じてこの目盛り４の全長は適宜選択すればよいが、エクササイズ用マット１の横方向（図１に示すＹ方向の長さ）において一端から他端まで設けられているのが、エクササイズにとっても好ましい。
【００２２】
本実施形態においては、上側の目盛り４ａはインチ表示であり、１インチ毎に６５インチまでの目盛りが設けられており、下側の目盛り４ｂはセンチメートル表示であり、１センチメートル毎に１６０センチメートルまでの目盛りが設けられている。
【００２３】
このような構成を有する本実施形態のエクササイズ用マット１によれば、ポーズの図柄２及び目盛り４が設けられているため、ストレッチやピラティス、ヨガ等をする際に、使用者が容易に自らの身体の位置や体勢をコントロールしたりポーズをとったりすることができる。
【００２４】
ここで、エクササイズ用マット１においては、裏面層１ｂが、表面層１ａとは反対側の面に、並列する略波状の凸部１Ｂを有すること、が好ましい。本実施形態における凸部１Ｂの波形は、５ｍｍ〜１ｃｍの振幅Ａ及び２ｃｍ〜５ｃｍのピッチλを有するのが、滑りにくさを確保するという観点から好ましい。また、凸部１Ｂの高さは、同様の理由から、１ｍｍ〜３ｍｍであるのが好ましい。
【００２５】
エクササイズ用マット１は、接地面（床等）との接触面にこのような範囲の各種パラメータを有する凸部１Ｂを有するため、使用者が上にのって種々の位置や体勢、ポーズを取る際に、滑りにくく、より確実に自らの身体の位置や体勢をコントロールしたりポーズをとったりすることができる。
【００２６】
本実施形態のエクササイズ用マット１は、本発明の効果を損なわない範囲で種々の材料（例えば、ゴムや樹脂）を用いて製造することができるが、表面層１ａ及び裏面層１ｂがポリ塩化ビニルで形成されていること、が好ましい。なかでも発泡ポリ塩化ビニルが特に好ましい。
【００２７】
また、表面層１ａ及び裏面層１ｂの厚みはそれぞれ１ｍｍ〜３ｍｍであるのが好ましく、エクササイズ用マット１の厚みは、３ｍｍ〜７ｍｍであるのが好ましい。この範囲の厚みを有する発泡ポリ塩化ビニル製の表面層１ａ及び裏面層１ｂを有するエクササイズ用マット１が最適である。また、この場合、接地面との滑りにくさをより確実にするという観点から、裏面層１ｂの発泡率を表面層１ａの発泡率より高くするのが好ましい。
【００２８】
以上、本発明の一実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【符号の説明】
【００２９】
１        エクササイズ用マット
１ａ      表面層
１ｂ      裏面層
２        図柄
４        目盛り
４ａ      上側の目盛り
４ｂ      下側の目盛り
【図１】
2019097884.tif 000003
【図２】
2019097884.tif 000004
【図３】
2019097884.tif 000005
【図４】
2019097884.tif 000006
【図５】
2019097884.tif 000007
【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
表面層と、
前記表面層に積層された裏面層と、を具備する略矩形状のマットであって、
前記表面層のうちの前記裏面層とは反対側の面に、ポーズの図柄と目盛りとを含む印刷層を有し、
前記目盛りが、前記表面層において、対向する二辺の端部に設けられ、
前記裏面層が、前記表面層とは反対の面に、並列する略波状の凸部を有すること、
を特徴とするエクササイズ用マット。
【請求項２】
前記表面層及び前記裏面層がポリ塩化ビニルで形成されていること、
を特徴とする請求項１に記載のエクササイズ用マット。
【手続補正２】
【補正対象書類名】明細書
【補正対象項目名】０００８
【補正方法】変更
【補正の内容】
【０００８】
上記の課題を解決すべく、本発明は、
表面層と、
前記表面層に積層された裏面層と、を具備する略矩形状のマットであって、
前記表面層のうちの前記裏面層とは反対側の面に、ポーズの図柄と目盛りとを含む印刷層を有し、
前記目盛りが、前記表面層において、対向する二辺の端部に設けられ、
前記裏面層が、前記表面層とは反対の面に、並列する略波状の凸部を有すること、
を特徴とするエクササイズ用マットを提供する。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
更に、上記のような構成を有する本発明のエクササイズ用マットによれば、接地面（床等）との接触面が並列する略波状の凸部を有するため、使用者が上にのって種々の位置や体勢、ポーズを取る際に、滑りにくく、より確実に自らの身体の位置や体勢をコントロールしたりポーズをとったりすることができる。